(57)【特許請求の範囲】
【請求項１】
複数のキー接点を有するキー入力部、表示部、電源部を、電子部品が設けられている回路基板と電気的に接続した状態で、これら全体をシート部材によって包み込んで密封した機器モジュールと、
前記キー入力部のキー接点に対応する複数のキートップが上面に形成されたキーシートと、
前記表示部及び前記複数のキートップに対応する開口部が設けられている上部ケースと下部ケースとが着脱可能に取り付けられる機器ケースを備え、
前記機器モジュールのキー入力部に前記キーシートが配置された状態で前記キーシートの複数のキートップが前記上部ケースの対応する開口部から露出するように、前記機器モジュールと前記キーシートとが前記機器ケースに組み込まれることを特徴とする電子機器。
【請求項２】
前記機器モジュールの前記シート部材は、前記表示部に対応する箇所に透明または半透明の光透過部が形成されていることを特徴とする請求項１に記載の電子機器。
【請求項３】
前記機器モジュールの前記電源部は、太陽光などの外部光を受光して発電するソーラーパネルであることを特徴とする請求項１または２に記載の電子機器。
【請求項４】
前記機器モジュールの前記電源部は、電磁誘導によって電源が供給される電磁誘導型の充電池であることを特徴とする請求項１または２に記載の電子機器。
【請求項５】
前記キー入力部は、前記回路基板の上面に縦横に配列された複数の固定接点と、前記回路基板上に設けられた格子状のスペーサシートと、このスペーサシート上に設けられた可撓性を有する可動シートと、この可動シートの下面に縦横に配列された複数の可動接点とを備えていることを特徴とする請求項１〜請求項４の何れかに記載された電子機器。
【請求項６】
前記複数のキートップは、数字キーと演算キーを備え、前記回路基板の下面には計算機能を果たす電子部品が設けられていることを特徴とする請求項１〜請求項５の何れかに記載された電子機器。
【発明の詳細な説明】
【技術分野】
【０００１】
この発明は、小型電子式計算機、携帯電話機、電子辞書、時計などの電子機器に関する。
【背景技術】
【０００２】
従来、腕時計などの電子機器においては、特許文献１に記載されているように、時計ケース内に機器モジュールを保護カバーで保護した状態で組み込むように構成されたものが知られている。
【先行技術文献】
【特許文献】
【０００３】
【特許文献１】特開２００１−２３５５６０号公報
【０００４】
この場合、機器モジュールは、時計ムーブメント、文字板、指針、リューズを有し、これらを透明な保護カバーで覆い、この状態で時計ケース内に分離可能な状態で組み込まれるように構成されている。また、保護カバーは、機器モジュールを時計ケース内から取り出す際に、指針や文字板を傷付けないように保護するように構成されている。
【発明の概要】
【発明が解決しようとする課題】
【０００５】
しかしながら、このような従来の電子機器では、機器モジュールが、その指針や文字板を傷付けないように、保護カバーによって保護されている構成であるが、この機器モジュールは保護カバーによって防水性および防塵性を有する構造になっていない。このため、時計ケースを水洗いする際には、機器モジュールを時計ケース内から取り外し、この状態で時計ケースを水洗いしなければならないという問題がある。
【０００６】
この発明が解決しようとする課題は、簡単な構造で、防水性および防塵性を確保することができると共に、水洗いすることができる電子機器を提供することである。
【課題を解決するための手段】
【０００７】
本発明に係る電子機器は、
複数のキー接点を有するキー入力部、表示部、電源部を、電子部品が設けられている回路基板と電気的に接続した状態で、これら全体をシート部材によって包み込んで密封した機器モジュールと、
前記キー入力部のキー接点に対応する複数のキートップが上面に形成されたキーシートと、
前記表示部及び前記複数のキートップに対応する開口部が設けられている上部ケースと下部ケースとが着脱可能に取り付けられる機器ケースを備え、
前記機器モジュールのキー入力部に前記キーシートが配置された状態で前記キーシートの複数のキートップが前記上部ケースの対応する開口部から露出するように、前記機器モジュールと前記キーシートとが前記機器ケースに組み込まれることを特徴とする。
【発明の効果】
【００１８】
この発明によれば、キー入力部、表示部、電源部を回路基板と電気的に接続した状態で、これら全体をシート部材によって包み込んで密封するだけの簡単な構造で、機器モジュールの防水性および防塵性を確保し、機器ケース内に機器モジュールとキーシートを組み込むようにしたので、機器ケースには防水構造を設けなくても、そのまま機器ケースを水洗いすることができ、これにより使い勝手の良いものを提供することができる。
【図面の簡単な説明】
【００１９】
【図１】この発明を小型電子式計算機に適用した一実施形態を示した正面図である。
【図２】図１に示された小型電子式計算機を分解して示した斜視図である。
【図３】図１に示された小型電子式計算機のＡ−Ａ矢視における拡大断面図である。
【図４】図２に示された機器モジュールを上面側から見た正面図である。
【図５】図２に示された機器モジュールを下面側から見た裏面図である。
【図６】図４に示された機器モジュールのＢ−Ｂ矢視における拡大断面図である。
【図７】図４に示された機器モジュールのキー入力部を分解して示した拡大斜視図である。
【図８】図６に示されたキー入力部のＡ部を示した要部の拡大断面図である。
【図９】図１〜図８に示された一実施形態の小型電子式計算機における第１変形例を示した正面図である。
【図１０】図９に示された第１変形例の小型電子式計算機を分解して示した斜視図である。
【図１１】図１〜図８に示された一実施形態における第２変形例の機器モジュールを上面側から見た正面図である。
【図１２】図１１に示された第２変形例の機器モジュールを下面側から見た裏面図である。
【発明を実施するための形態】
【００２０】
以下、図１〜図８を参照して、この発明を小型電子式計算機に適用した一実施形態について説明する。
この小型電子式計算機は、図１〜図３に示すように、機器ケース１を備えている。この機器ケース１は、図２および図３に示すように、上部ケース２と下部ケース３とを有し、これらの内部に機器モジュール４が組み込まれるように構成されている。
【００２１】
この機器モジュール４は、図２〜図６に示すように、キー入力部５、表示部６、電源部であるソーラーパネル７、および回路基板８を備え、キー入力部５、表示部６、ソーラーパネル７が回路基板８と電気的に接続された構成になっている。この場合、回路基板８は、回路全般を電気的に制御するものであり、この回路基板８の下面には、図５に示すように、ＬＳＩ（大規模集積回路）などの計算機能に必要な各種の電子部品８ａがそれぞれ設けられている。
【００２２】
キー入力部５は、図７および図８に示すように、回路基板８の上面に設けられている。このキー入力部５は、回路基板８の上面に縦横に配列された複数の固定接点１０と、回路基板８上に設けられた格子状のスペーサシート１１と、このスペーサシート１１上に設けられた可撓性を有する可動シート１２と、この可動シート１２の下面に縦横に配列された複数の可動接点１３とを備えている。
【００２３】
この場合、複数の固定接点１０は、それぞれ一対の電極からなっている。格子状のスペーサシート１１は、複数の固定接点１０に対応する箇所に開口部１１ａがそれぞれ設けられている。複数の可動接点１３は、格子状のスペーサシート１１の各開口部１１ａに対応する箇所において、複数の固定接点１０にそれぞれ接離可能に対向している。これにより、キー入力部５は、複数の固定接点１０における一対の電極に可動接点１３が跨って接触することにより、一対の電極を導通させてキー信号を出力するように構成されている。
【００２４】
表示部６は、液晶表示パネルやＥＬ（エレクトロルミネッセンス）表示パネルなどの平面型の表示パネルからなり、キー入力部５で入力された情報およびその演算処理結果などの各種の情報を電気光学的に表示するように構成されている。この表示部６は、図２〜図６に示すように、回路基板８の上辺側における近傍に平面的に配置され、フレキシブルな配線基板１４によって回路基板８と電気的に接続されている。
【００２５】
電源部であるソーラーパネル７は、太陽光などの外部光を受光して発電するものであり、図２〜図６に示すように、表示パネル６の上辺側における近傍に平面的に配置されている。このソーラーパネル７は、リード線などの接続線１５によって回路基板８と電気的に接続され、発電した電力を回路基板８の回路全般に供給するように構成されている。
【００２６】
このような機器モジュール４は、キー入力部５が搭載された回路基板８、表示部６、およびソーラーパネル７の全てがほぼ平面的に配置され、この状態でこれらの全てがシート部材１６によって包み込まれて密封された構成になっている。このシート部材１６は、ポリ塩化ビニル、ポリエチレンテレフタレート（ＰＥＴ）、ポリカーボネ―ト、シリコーンゴム、エラストマーなどの軟質および硬質の合成樹脂からなる透明または半透明のシートであり、好ましくは軟質の合成樹脂からなる透明なシートである。
【００２７】
また、このシート部材１６は、図２〜図６に示すように、キー入力部５が搭載された回路基板８、表示部６、およびソーラーパネル７の全てにおける上下面に連続して配置され、この状態で機器モジュール４の全周囲に亘って連続した状態で熱圧着や超音波溶着によってシールドされるように構成されている。これにより、機器モジュール４は、キー入力部５が搭載された回路基板８、表示部６、およびソーラーパネル７の全てがシート部材１６によって包み込まれて密封された構成になっている。
【００２８】
ところで、この機器モジュール４を内部に収容する機器ケース１は、図１〜図３に示すように、上部ケース２と下部ケース３とが重ね合わされた状態で、ビス１７によって着脱可能に取り付けられるように構成されている。この場合、下部ケース３は、図２に示すように、機器モジュール４が配置される四角形の箱状に形成されており、この下部ケース３の四隅には、ビス１７が下側から挿入するビス挿入孔３ａがそれぞれ設けられている。
【００２９】
また、上部ケース２は、図１〜図３に示すように、下部ケース３と同じ形状で同じ大きさに形成されている。この上部ケース２の四隅には、図２に示すように、ビス１７が下側から螺入するねじ穴２ａがそれぞれ設けられている。これにより、機器ケース１は、図２および図３に示すように、下部ケース３内に機器モジュール４を配置して上部ケース２を重ね合わせ、この状態で下部ケース３の下側から複数のビス１７を各ビス挿入孔３ａに挿入させて上部ケース２の各ねじ穴２ａに螺入させて締め付けることにより、上部ケース２と下部ケース３とが取り付けられるように構成されている。
【００３０】
この場合、上部ケース２と下部ケース３とは、図３に示すように、その接合部分に防水パッキンなどを用いた防水構造が設けられておらず、単に上部ケース２と下部ケース３とをビス１７の締め付けによって接合するように構成されている。また、この上部ケース２には、図１〜図３に示すように、第１〜第３の各開口部１８〜２０が、機器モジュール４のキー入力部５、表示部６、およびソーラーパネル７にそれぞれ対応して設けられている。
【００３１】
これら第１〜第３の各開口部１８〜２０のうち、第１の開口部１８は、図２および図３に示すように、キー入力部５が対応する上部ケース２の箇所に格子状に設けられている。この第１の開口部１８には、キーシート２１がキー入力部５に対応する機器モジュール４の上面、つまり機器モジュール４のシート部材１６上に配置された状態で設けられている。
【００３２】
このキーシート２１は、ゴムなどの軟質の合成樹脂からなり、その上面には、図２および図３に示すように、複数のキートップ２１ａが上方に突出して形成されている。この複数のキートップ２１ａは、テンキー、演算キー、ファンクションキーなど、計算機能に必要な各種のキーに対応するものであり、キー入力部５の各固定接点１０およびこれに対応する各可動接点１３にそれぞれ対応して設けられ、格子状に形成された第１の開口部１８の下側からそれぞれ挿入されて上部ケース２の上面に露出するように構成されている。
【００３３】
これにより、キーシート２１は、図３および図８に示すように、複数のキートップ２１ａが上部ケース２の上方から押されると、キーシート２１が撓んで、その下側に配置されたキー入力部５の可動シート１２における可動接点１３を押し下げ、この押し下げられた可動接点１３が回路基板８の固定接点１０に接触して固定接点１０の一対の電極を導通させることにより、キー入力部５でキー信号が得られるように構成されている。
【００３４】
また、第２の開口部１９は、図１〜図３に示すように、機器モジュール４の表示部６が対応する上部ケース２の箇所に横長の長方形状に設けられ、表示部６に表示された情報が上部ケース２の上方から見えるように構成されている。さらに、第３の開口部２０は、図１〜図３に示すように、機器モジュール４の電源部であるソーラーパネル７が対応する上部ケース２の箇所に横長の長方形状に設けられ、太陽光などの外部光を上部ケース２の上方からソーラーパネル７に照射させてソーラーパネル７を発電させるように構成されている。
【００３５】
次に、このような小型電子式計算機を組み立てる場合について説明する。
この場合には、図４〜図８に示すように、まず、機器モジュール４を組み立てる。このときには、回路基板８上にキー入力部５を配置する。すなわち、回路基板８の上面にキー入力部５のスペーサシート１１を介して可動シート１２を配置し、回路基板８に設けられた複数の固定接点１０と可動シート１２に設けられた複数の可動接点１３とをそれぞれスペーサシート１１の各開口部１１ａの箇所で離間対向させる。
【００３６】
また、この回路基板８の上辺の近傍に表示部６を平面的に配置し、この表示部６をフレキシブルな配線基板１４によって回路基板８と電気的に接続する。さらに、この表示部６の上辺の近傍に電源部であるソーラーパネル７を平面的に配置し、このソーラーパネル７をリード線などの接続線１５によって回路基板８と電気的に接続する。この状態で、キー入力部５が搭載された回路基板８、表示部６、およびソーラーパネル７の全てをシート部材１６によって包み込んで密封する。
【００３７】
このときには、キー入力部５が搭載された回路基板８、表示部６、およびソーラーパネル７の全てにおける上下面にシート部材１６を連続させて配置し、この状態で全周囲に亘ってシート部材１６を熱圧着や超音波溶着によって連続させてシールドする。これにより、図４〜図６に示すように、キー入力部５が搭載された回路基板８、表示部６、およびソーラーパネル７の全てがシート部材１６によって包み込まれて密封された機器モジュール４が得られる。この機器モジュール４は、シート部材１６によって防水性および防塵性が確保されている。
【００３８】
この後、機器モジュール４を機器ケース１内に組み込む。このときには、図２に示すように、下部ケース３内にシート部材１６によって包み込まれて密封された機器モジュール４を配置し、この機器モジュール４のキー入力部５に対応する箇所の上面、つまり機器モジュール４のシート部材１６上にキーシート２１を配置し、この状態で下部ケース３上に上部ケース２を重ね合わせる。
【００３９】
このときには、キーシート２１の複数のキートップ２１ａをキー入力部５の各固定接点１０およびこれに対応する各可動接点１３にそれぞれ対応させた状態で、キーシート２１を機器モジュール４上に配置すると共に、キーシート２１の複数のキートップ２１ａを格子状に形成された第１の開口部１８に対応させる。また、機器モジュール４の表示部６を上部ケース２の第２の開口部１９に対応させると共に、ソーラーパネル７を上部ケース２の第３の開口部２０に対応させる。
【００４０】
この状態で、下部ケース３の下側から複数のビス１７を各ビス挿入孔３ａに挿入させて上部ケース２の各ねじ穴２ａに螺入させて締め付ける。これにより、上部ケース２と下部ケース３とが取り付けられて機器ケース１が構成されると共に、この機器ケース１内に機器モジュール４が収容された小型電子式計算機が得られる。この小型電子式計算機では、図１および図３に示すように、キーシート２１の複数のキートップ２１が第１の開口部１８から上部ケース２の上面に露出する。
【００４１】
また、この小型電子式計算機では、図１〜図３に示すように、機器モジュール４の表示部６は、これに表示された情報が上部ケース２の上方から見えるように、上部ケース２の第２の開口部１９に対応して配置される。さらに、機器モジュール４の電源部であるソーラーパネル７は、上部ケース２の上方から太陽光などの外部光が照射されるように、上部ケース２の第３の開口部２０に対応して配置される。
【００４２】
次に、このような小型電子式計算機の作用について説明する。
この小型電子式計算機では、キー入力部５に対応するキーシート２１の各キートップ２１ａが、機器ケース１の上部ケース２に設けられた第１の開口部１８から上方に露出し、表示部６がシート部材１６を介して上部ケース２に設けられた第２の開口部１９から上方に露呈し、ソーラーパネル７がシート部材１６を介して上部ケース２に設けられた第３の開口部２０から上方に露呈している。
【００４３】
この状態では、シート部材１６が光透過性を有しているので、太陽光などの外部光が上部ケース２の第３の開口部２０を通してソーラーパネル７に照射され、この照射された外部光によってソーラーパネル７が発電して電力を回路基板８の電子回路に供給する。このため、この状態では、小型電子式計算が使用可能な状態になり、キーシート２１の各キートップ２１ａを押圧操作すると、その押圧操作に応じて情報が入力され、その入力された情報が表示部６に表示される。
【００４４】
すなわち、キーシート２１のキートップ２１ａを押圧操作すると、図３に示すように、この押圧操作されたキートップ２１ａがシート部材１６を介してキー入力部５の可動シート１２を押圧する。このため、図７および図８に示すように、可動シート１２が押し下げられて可動シート１２に設けられた可動接点１３がこれに対応する回路基板８の固定接点１０に接触する。
【００４５】
このときには、固定接点１０の一対の電極に可動接点１３が跨って接触することにより、固定接点１０の一対の電極が導通する。これにより、キー入力部５が押圧操作されたキートップ２１ａに対応するキー信号を回路基板８の電子回路に与える。このため、この与えられたキー信号に基づいて表示部６に情報が表示され、その演算処理結果が表示部６に表示される。
【００４６】
ところで、このような小型電子式計算機が汚れた場合には、そのままの状態で水洗いすることができる。すなわち、この小型電子式計算機では、機器ケース１に水を掛けたり、あるいは機器ケース１を水の中に漬けたりしながら、スポンジなどで洗うことにより、汚れを簡単に落とすことができる。
【００４７】
このときには、機器ケース１の上部ケース２と下部ケース３との間、または上部ケース２に設けられた第１〜第３の各開口部１８〜２０を通して、機器ケース１内に水が浸入しても、機器モジュール４のキー入力部５が搭載された回路基板８、表示部６、およびソーラーパネル７の全てがシート部材１６によって包み込まれて密封されているので、機器ケース１内に浸入した水によって機器モジュール４が悪影響を受けることがなく、上述した動作をそのまま行うことができる。
【００４８】
また、キーシート２１のキートップ２１ａ間に、ごみなどが詰まっている場合には、機器ケース１を分解して洗うことができる。このときには、下部ケース３の下側から複数のビス１７を取り外すと、上部ケース２と下部ケース３とを簡単に分離させることができる。これにより、機器ケース１内に組み込まれたキーシート２１および機器モジュール４を取り出すことができるので、上部ケース２、下部ケース３、キーシート２１、および機器モジュール４をそれぞれ個別に綺麗に洗うことができる。
【００４９】
また、この小型電子式計算機を砂漠などで使用する場合にも、砂による悪影響を受けることがなく、良好に使用することができる。例えば、砂漠で砂嵐に出会い、機器ケース１内に砂が浸入しても、前述した水洗いの場合と同様、機器モジュール４のキー入力部５が搭載された回路基板８、表示部６、およびソーラーパネル７の全てがシート部材１６によって包み込まれて密封されているので、機器ケース１内に浸入した砂などの塵埃によって機器モジュール４が悪影響を受けることがなく、そのまま使用することができる。
【００５０】
このように、この小型電子式計算機の機器モジュール４によれば、キー入力部５、表示部６、電源部であるソーラーパネル７を回路基板８と電気的に接続した状態で、これら全体をシート部材１６によって包み込んで密封した構成であるから、キー入力部５、表示部６、ソーラーパネル７を回路基板８と電気的に接続した状態で、これらをシート部材１６によって包み込んで密封するだけの簡単な構造で、機器モジュール４の防水性および防塵性を確保することができる。
【００５１】
このため、機器モジュール４をそのままの状態で水洗いすることができるほか、機器ケース１に防水パッキンなどを用いた防水構造を設ける必要がないため、機器ケース１の構造を簡素化することができると共に、機器ケース１の低コスト化をも図ることができる。また、この機器ケース１内に機器モジュール４を組み込んだ状態で、そのまま機器ケース１を水洗いすることができ、これにより使い勝手の良いものを提供することができる。
【００５２】
この場合、シート部材１６は、透明または半透明の合成樹脂からなるシートであるから、このシート部材１６によって表示部６が覆われていても、シート部材１６を通して表示部６に表示された情報を良好に見ることができる。
【００５３】
また、電源部であるソーラーパネル７は、太陽光などの外部光を受光して発電するものであることにより、このソーラーパネル７がシート部材１６によって覆われていても、シート部材１６を通して太陽光などの外部光を確実に受光して良好に発電することができる。このため、機器モジュール４がシート部材１６によって包み込まれて密封されていても、電池交換をする必要ないので、これによっても使い勝手の良いものを提供することができる。
【００５４】
また、この小型電子式計算機によれば、キー入力部５、表示部６、ソーラーパネル７を回路基板８に電気的に接続した状態で、これら全体をシート部材１６によって包み込んで密封した機器モジュール４と、この機器モジュール４が組み込まれる機器ケース１とを備えている構成であることにより、キー入力部５、表示部６、ソーラーパネル７を回路基板８と電気的に接続した状態における機器モジュール４の防水性および防塵性を確保することができる。
【００５５】
このため、機器ケース１にパッキンなどを用いた防水構造を採用する必要がないので、機器ケース１の構造を簡素化することができると共に、機器全体の低コスト化をも図ることができる。また、シート部材１６によって密封された機器モジュール４を機器ケース１内に組み込むことにより、シート部材１６が機器ケース１の外部にほとんど露出することがなく、機器ケース１によってシート部材１６を保護することができる。
【００５６】
これにより、小型電子式計算機の使用時にシート部材１６が破れ難いので、シート部材１６の耐久性を高めることができると共に、このシート部材１６によって機器モジュール４の防水性および防塵性をも高めることができるほか、小型電子式計算機の使用時における機器ケース１の手触り感をシート部材１６によって損なうことがなく、良好に使用することができる。
【００５７】
この場合、機器ケース１が汚れても、機器ケース１をそのまま水洗いすることができる。すなわち、機器ケース１に水を掛けたり、あるいは機器ケース１を水の中に漬けたりしながら、スポンジなどで洗うことにより、汚れを簡単に洗い落とすことができる。このときに、機器ケース１内に水が浸入しても、機器モジュール４のキー入力部５が搭載された回路基板８、表示部６、およびソーラーパネル７の全てがシート部材１６によって包み込まれて密封されているので、機器ケース１内に浸入した水によって機器モジュール４が悪影響を受けることがなく、そのままの状態で良好に使用することができる。
【００５８】
また、この小型電子式計算機を砂漠などで使用する場合にも、砂による悪影響を受けることがなく、良好に使用することができる。例えば、砂漠で砂嵐に出会い、機器ケース１内に砂が浸入しても、機器モジュール４のキー入力部５が搭載された回路基板８、表示部６、およびソーラーパネル７の全てがシート部材１６によって包み込まれて密封されているので、機器ケース１内に浸入した砂などの塵埃によっても機器モジュール４が悪影響を受けることがなく、そのままの状態で良好に使用することができる。
【００５９】
また、この機器ケース１は、上部ケース２と下部ケース３とを有し、これらが着脱可能に取り付けられていることにより、機器ケース１を水洗いする際に、上部ケース２と下部ケース３とを分離させることができる。これにより、機器ケース１内に組み込まれた機器モジュール４を取り出すことができるので、上部ケース２、下部ケース３、および機器モジュール４をそれぞれ個別に綺麗に洗うことができる。
【００６０】
また、この小型電子式計算機では、上部ケース２に、機器モジュール４のキー入力部５と表示部６とに対応する第１、第２の各開口部１８、１９がそれぞれ設けられていることにより、シート部材１６によって包み込まれて密封された機器モジュール４を機器ケース１内に組み込んでも、キー入力部５および表示部６を第１、第２の各開口部１８、１９によって上部ケース２の外部に露呈させることが可能になる。このため、機器ケース１の外部からキー入力部５をキー操作することができると共に、表示部６に表示された情報を機器ケース１の外部から見ることができる。
【００６１】
この場合、上部ケース２における機器モジュール４のキー入力部５に対応する箇所の第１の開口部１８には、複数のキートップ２１ａを有するキーシート２１が設けられていることより、上部ケース２の第１の開口部１８を通してキーシート２１のキートップ２１ａを上部ケース２の外部から押圧操作することができ、これにより機器モジュール４のキー入力５を確実に且つ良好にキー操作することができる。
【００６２】
また、この場合にも、機器モジュール４のシート部材１６が、透明または半透明の合成樹脂からなるシートであることにより、機器モジュール４が機器ケース１内に組み込まれていても、シート部材１６を通して表示部６に表示された情報を機器ケース１の外部から良好に見ることができる。
【００６３】
さらに、電源部であるソーラーパネル７は、太陽光などの外部光を受光して発電するものであり、このソーラーパネル７が機器モジュール４と共に機器ケース１内に組み込まれていても、シート部材１６を通して太陽光などの外部光を確実に受光して良好に発電することができると共に、発電した電力を回路基板８の電子回路に供給することができ、これにより電池交換をする必要がないので、これによっても使い勝手の良いものを提供することができる。
【００６４】
なお、前述した実施形態では、電源部として、ソーラーパネル７を用いた場合について述べたが、これに限らず、例えば図９および図１０に示す第１変形例のように、電源部として、電磁誘導によって電源が供給される電磁誘導型の充電池３０を用いても良い。この場合にも、電磁誘導型の充電池３０は、ソーラーパネル７と同様、表示パネル６の近傍に平面的に配置され、リード線などの接続線１５によって回路基板８と電気的に接続されていることにより、電力を回路基板８の回路全般に供給するように構成されている。
【００６５】
このような電磁誘導型の充電池３０を備えた小型電子式計算機では、充電池３０に対応する箇所に位置する上部ケース２に、実施形態１のような第３の開口部２０を設ける必要がないので、上部ケース２の構造を更に簡素化することができるほか、充電池３０を上部ケース２と下部ケース３とで覆い隠すことができるので、外観的にデザイン的に好ましいものを得ることができる。
【００６６】
このように充電池３０を機器ケース１で覆い隠しても、電磁誘導型の充電器（図示せず）によって機器ケース１の外部から充電池３０を充電することができる。このため、この小型電子式計算機においても、実施形態１と同様、電池交換をする必要がないので、充電池３０を備えた機器モジュール４がシート部材１６によって包み込まれて密封されていても、使い勝手の良いものを提供することができる。
【００６７】
また、前述した実施形態では、シート部材１６が透明または半透明の合成樹脂を用いた場合について述べたが、これに限らず、例えば図１１および図１２に示す第２変形例のように、シート部材３５に光透過部３６を表示部６およびソーラーパネル７にそれぞれ対応させて設けると共に、この光透過部３６を除いて、光を透過しない遮光部３７を設けた構成でも良い。
【００６８】
すなわち、この遮光部３７は、光を透過しないインクなどの塗料でシート部材３５を着色した着色部である。この遮光部３７である着色部は、機器モジュール４の裏面に位置するシート部材３５の全表面、および機器モジュール４の表面に位置するシート部材３５の全表面のうち、表示部６とソーラーパネル７との各表面に対応する光透過部３６を除いて、シート部材３５の全表面にインクなどの塗料を塗布することにより形成されている。
【００６９】
このように構成すれば、シート部３５の光透過部３６によって、前述した実施形態と同様、表示部６に表示された情報を外部から見ることができると共に、ソーラーパネル７によって外部光を受光して発電することができるほか、遮光部３７によって回路基板８に搭載された各種の電子部品８ａやキー入力部５を外部から見えないように隠すことができる。
【００７０】
また、前述した実施形態およびその各変形例では、機器ケース１が上部ケース２と下部ケース３とを有し、これら上部ケース２と下部ケース３とをビス１７によって着脱可能に取り付けた構成である場合について述べたが、必ずしもビス１７で上部ケース２と下部ケース３とを着脱可能に取り付ける必要はなく、上部ケース２と下部ケース３との一方にフック部を設け、上部ケース２と下部ケース３との他方にフック部が係脱可能に係合する係止部を設けてワンタッチで、上部ケース２と下部ケース３とを分離することができる構成であっても良い。
【００７１】
さらに、前述した実施形態およびその各変形例では、小型電子式計算機に適用した場合について述べたが、必ずしも小型電子式計算機である必要はなく、例えば携帯電話機、電子辞書、携帯型のパーソナルコンピュータ、時計などの各種の電子機器に広く適用することができる。
【符号の説明】
【００７２】
１  機器ケース
２  上部ケース
３  下部ケース
４  機器モジュール
５  キー入力部
６  表示部
７  ソーラーパネル
８  回路基板
１６、３５  シート部材
１８〜２０  第１〜第３の各開口部
２１  キーシート
２１ａ  キートップ
３０  電磁誘導型の充電池
３６  光透過部
３７  遮光部
【図１】
0005403374.tif 000002
【図２】
0005403374.tif 000003
【図３】
0005403374.tif 000004
【図４】
0005403374.tif 000005
【図５】
0005403374.tif 000006
【図６】
0005403374.tif 000007
【図７】
0005403374.tif 000008
【図８】
0005403374.tif 000009
【図９】
0005403374.tif 000010
【図１０】
0005403374.tif 000011
【図１１】
0005403374.tif 000012
【図１２】
0005403374.tif 000013